(57)【要約】【課題】送金者および受金者が、相互に個人情報を公開することなく、かつ、第三者機関に対しても個人情報を公開することなく現金の授受を行うことを可能にする。【解決手段】送金元装置から送金先装置への送金を仲介する仲介アドレスを取得する取得部と、前記送金元装置に投入された現金の額を計数する入金計数部と、前記額を前記仲介アドレスへ入金する入金データを生成する入金データ生成部と、を備える、送金元装置が提供される。【選択図】図２
2018160828.tif 000002
【特許請求の範囲】
【請求項１】
送金元装置から送金先装置への送金を仲介する仲介アドレスを取得する取得部と、
前記送金元装置に投入された現金の額を計数する入金計数部と、
前記額を前記仲介アドレスへ入金する入金データを生成する入金データ生成部と、を備える、
送金元装置。
【請求項２】
前記入金データをブロックチェーンネットワークへ送信する通信部をさらに備える、
請求項１に記載の送金元装置。
【請求項３】
前記取得部は、ユーザ操作により入力された前記仲介アドレスを取得する、
請求項１または２に記載の送金元装置。
【請求項４】
前記取得部は、前記仲介アドレスを生成し、生成した前記仲介アドレスを取得する、
請求項１または２に記載の送金元装置。
【請求項５】
前記取得部は、前記仲介アドレスの生成元となる公開鍵とペアとなる秘密鍵も生成する、
請求項４に記載の送金元装置。
【請求項６】
前記仲介アドレスの生成元となる公開鍵または前記秘密鍵をユーザに提示する第１の提示部をさらに備える、
請求項５に記載の送金元装置。
【請求項７】
前記通信部は、前記入金データに対する検証または承認の状況に関する情報を前記ブロックチェーンネットワークから受信する、
請求項２に記載の送金元装置。
【請求項８】
前記状況をユーザに提示する第２の提示部をさらに備える、
請求項７に記載の送金元装置。
【請求項９】
送金元装置から送金先装置への送金を仲介する仲介アドレスを取得することと、
前記送金元装置に投入された現金の額を計数することと、
前記額を前記仲介アドレスへ入金する入金データを生成することと、を有する、
コンピュータにより実行される送金方法。
【請求項１０】
送金元装置から送金先装置への送金を仲介する仲介アドレスを取得することと、
前記送金元装置に投入された現金の額を計数することと、
前記額を前記仲介アドレスへ入金する入金データを生成することと、
をコンピュータに実現させるためのプログラム。
【請求項１１】
送金元装置から送金先装置への送金を仲介する仲介アドレスを取得する取得部と、
前記仲介アドレスに基づいて出金データを生成する出金データ生成部と、
前記出金データをブロックチェーンネットワークへ送信する通信部と、
前記ブロックチェーンネットワークでの前記出金データに対する検証または承認の状況に基づいて、前記出金データに指定される額の現金を払い出す出金部と、を備える、
送金先装置。
【請求項１２】
前記仲介アドレスは公開鍵のハッシュ値であり、
前記取得部は、前記公開鍵および当該公開鍵とペアとなる秘密鍵も取得し、
前記出金データ生成部は、前記公開鍵および前記秘密鍵に基づいて前記出金データを生成する、
請求項１１に記載の送金先装置。
【請求項１３】
前記取得部は、ユーザ操作により入力された前記公開鍵または前記秘密鍵を取得する、
請求項１２に記載の送金先装置。
【請求項１４】
前記通信部は、前記出金データに対する検証または承認の状況に関する情報を前記ブロックチェーンネットワークから受信する、
請求項１１から１３のいずれか１項に記載の送金先装置。
【請求項１５】
前記状況をユーザに提示する提示部をさらに備える、
請求項１４に記載の送金先装置。
【請求項１６】
送金元装置から送金先装置への送金を仲介する仲介アドレスを取得する取得部と、
前記仲介アドレスに基づいて出金データを生成することと、
前記出金データをブロックチェーンネットワークへ送信することと、
前記ブロックチェーンネットワークでの前記出金データに対する検証または承認の状況に基づいて、前記出金データに指定される額の現金を払い出すことと、を有する、
コンピュータにより実行される受金方法。
【請求項１７】
送金元装置から送金先装置への送金を仲介する仲介アドレスを取得する取得部と、
前記仲介アドレスに基づいて出金データを生成することと、
前記出金データをブロックチェーンネットワークへ送信することと、
前記ブロックチェーンネットワークでの前記出金データに対する検証または承認の状況に基づいて、前記出金データに指定される額の現金を払い出すことと、
をコンピュータに実現させるためのプログラム。
【請求項１８】
送金を行う送金元装置と、前記送金を受ける送金先装置と、を備える送金システムであって、
前記送金元装置は、
前記送金を仲介する仲介アドレスを取得する第１の取得部と、
前記送金元装置に投入された現金の額を計数する入金計数部と、
前記額を前記仲介アドレスへ入金する入金データを生成する入金データ生成部と、を備え、
前記送金先装置は、
前記仲介アドレスを取得する第２の取得部と、
前記仲介アドレスに基づいて出金データを生成する出金データ生成部と、
前記出金データをブロックチェーンネットワークへ送信する通信部と、
前記ブロックチェーンネットワークでの前記出金データに対する検証または承認の状況に基づいて、前記出金データに指定される額の現金を払い出す出金部と、を備える、
送金システム。
【発明の詳細な説明】
【技術分野】
【０００１】
本発明は、送金元装置、送金先装置、送金方法、受金方法、プログラムおよび送金システムに関する。
【背景技術】
【０００２】
近年、インターネット上でのサービスの発展に伴い、偽名または匿名のまま個人情報を明かすことなく金銭の授受を行いたいというニーズが存在する。
【０００３】
金銭の授受の方法としては、例えば、以下の特許文献１には、ブロックチェーンを用いた電子暗号通貨の取引に利用される公開アドレスおよび、当該公開アドレスとペアとなる秘密鍵を用いて、所定の広告の閲覧促進を図る目的で当該広告を閲覧したユーザに特典として送金を行う技術が記載されている。
【先行技術文献】
【特許文献】
【０００４】
【特許文献１】特開２０１６−８１１３４号公報
【発明の概要】
【発明が解決しようとする課題】
【０００５】
しかし、既存技術によっては、送金者および受金者が相互に個人情報を公開することなく、かつ、第三者機関に対しても個人情報を公開することなく現金の授受を行うことができなかった。例えば、特許文献１に記載の技術では、サービスの利用者は、取引を仲介する中央管理者に対しては個人情報を提供することを求められないが、電子暗号通貨と貨幣との両替取引においては個人情報（口座番号やクレジットカード番号等）を提供することを求められる。
【０００６】
そこで、本発明は、上記問題に鑑みてなされたものであり、本発明の目的とするところは、送金者および受金者が、相互に個人情報を公開することなく、かつ、第三者機関に対しても個人情報を公開することなく現金の授受を行うことが可能な、新規かつ改良された送金元装置、送金先装置、送金方法、受金方法、プログラムおよび送金システムを提供することにある。
【課題を解決するための手段】
【０００７】
上記課題を解決するために、本発明のある観点によれば、送金元装置から送金先装置への送金を仲介する仲介アドレスを取得する取得部と、前記送金元装置に投入された現金の額を計数する入金計数部と、前記額を前記仲介アドレスへ入金する入金データを生成する入金データ生成部と、を備える、送金元装置が提供される。
【０００８】
前記入金データをブロックチェーンネットワークへ送信する通信部をさらに備えてもよい。
【０００９】
前記取得部は、ユーザ操作により入力された前記仲介アドレスを取得してもよい。
【００１０】
前記取得部は、前記仲介アドレスを生成し、生成した前記仲介アドレスを取得してもよい。
【００１１】
前記取得部は、前記仲介アドレスの生成元となる公開鍵とペアとなる秘密鍵も生成してもよい。
【００１２】
前記仲介アドレスの生成元となる公開鍵または前記秘密鍵をユーザに提示する第１の提示部をさらに備えてもよい。
【００１３】
前記通信部は、前記入金データに対する検証または承認の状況に関する情報を前記ブロックチェーンネットワークから受信してもよい。
【００１４】
前記状況をユーザに提示する第２の提示部をさらに備えてもよい。
【００１５】
また、上記課題を解決するために、本発明の別の観点によれば、送金元装置から送金先装置への送金を仲介する仲介アドレスを取得することと、前記送金元装置に投入された現金の額を計数することと、前記額を前記仲介アドレスへ入金する入金データを生成することと、を有する、コンピュータにより実行される送金方法が提供される。
【００１６】
また、上記課題を解決するために、本発明の別の観点によれば、送金元装置から送金先装置への送金を仲介する仲介アドレスを取得することと、前記送金元装置に投入された現金の額を計数することと、前記額を前記仲介アドレスへ入金する入金データを生成することと、をコンピュータに実現させるためのプログラムが提供される。
【００１７】
また、上記課題を解決するために、本発明の別の観点によれば、送金元装置から送金先装置への送金を仲介する仲介アドレスを取得する取得部と、前記仲介アドレスに基づいて出金データを生成する出金データ生成部と、前記出金データをブロックチェーンネットワークへ送信する通信部と、前記ブロックチェーンネットワークでの前記出金データに対する検証または承認の状況に基づいて、前記出金データに指定される額の現金を払い出す出金部と、を備える、送金先装置が提供される。
【００１８】
前記仲介アドレスは公開鍵のハッシュ値であり、前記取得部は、前記公開鍵および当該公開鍵とペアとなる秘密鍵も取得し、前記出金データ生成部は、前記公開鍵および前記秘密鍵に基づいて前記出金データを生成してもよい。
【００１９】
前記取得部は、ユーザ操作により入力された前記公開鍵または前記秘密鍵を取得してもよい。
【００２０】
前記通信部は、前記出金データに対する検証または承認の状況に関する情報を前記ブロックチェーンネットワークから受信してもよい。
【００２１】
前記状況をユーザに提示する提示部をさらに備えてもよい。
【００２２】
また、上記課題を解決するために、本発明の別の観点によれば、送金元装置から送金先装置への送金を仲介する仲介アドレスを取得する取得部と、前記仲介アドレスに基づいて出金データを生成することと、前記出金データをブロックチェーンネットワークへ送信することと、前記ブロックチェーンネットワークでの前記出金データに対する検証または承認の状況に基づいて、前記出金データに指定される額の現金を払い出すことと、を有する、コンピュータにより実行される受金方法が提供される。
【００２３】
また、上記課題を解決するために、本発明の別の観点によれば、送金元装置から送金先装置への送金を仲介する仲介アドレスを取得する取得部と、前記仲介アドレスに基づいて出金データを生成することと、前記出金データをブロックチェーンネットワークへ送信することと、前記ブロックチェーンネットワークでの前記出金データに対する検証または承認の状況に基づいて、前記出金データに指定される額の現金を払い出すことと、をコンピュータに実現させるためのプログラムが提供される。
【００２４】
また、上記課題を解決するために、本発明の別の観点によれば、送金を行う送金元装置と、前記送金を受ける送金先装置と、を備える送金システムであって、前記送金元装置は、前記送金を仲介する仲介アドレスを取得する第１の取得部と、前記送金元装置に投入された現金の額を計数する入金計数部と、前記額を前記仲介アドレスへ入金する入金データを生成する入金データ生成部と、を備え、前記送金先装置は、前記仲介アドレスを取得する第２の取得部と、前記仲介アドレスに基づいて出金データを生成する出金データ生成部と、前記出金データをブロックチェーンネットワークへ送信する通信部と、前記ブロックチェーンネットワークでの前記出金データに対する検証または承認の状況に基づいて、前記出金データに指定される額の現金を払い出す出金部と、を備える、送金システムが提供される。
【発明の効果】
【００２５】
以上説明したように本発明によれば、送金者および受金者が、相互に個人情報を公開することなく、かつ、第三者機関に対しても個人情報を公開することなく現金の授受を行うことが可能となる。
【図面の簡単な説明】
【００２６】
【図１】本実施形態に係る送金システムの構成を示す図である。
【図２】本実施形態に係る送金元装置の機能構成を示すブロック図である。
【図３】本実施形態に係る入金トランザクションデータの概要を示す図である。
【図４】本実施形態に係る入金トランザクションデータのデータフォーマットの一例を示す図である。
【図５】本実施形態に係る送金先装置の機能構成を示すブロック図である。
【図６】本実施形態に係る出金トランザクションデータの概要を示す図である。
【図７】本実施形態に係る出金トランザクションデータのデータフォーマットの一例を示す図である。
【図８】本実施形態に係る送金元装置による動作を示すフローチャートである。
【図９】本実施形態に係る送金先装置による動作を示すフローチャートである。
【図１０】本実施形態に係る送金元装置および送金先装置のハードウェア構成を示すブロック図である。
【発明を実施するための形態】
【００２７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２８】
＜１．背景＞
近年、インターネット上でのサービスの発展に伴い、偽名または匿名のまま個人情報を明かすことなく金銭の授受を行いたいというニーズが存在する。例えば、何らかの取引において対価として金銭の授受を行う場合等が挙げられる。
【００２９】
既存技術としては、例えば、現金自動預け払い機（以降、便宜的にＡＴＭ（Ａｕｔｏｍａｔｅｄ／Ａｕｔｏｍａｔｉｃ  Ｔｅｌｌｅｒ  Ｍａｃｈｉｎｅ）と呼称する場合がある）による現金振り込みサービスが挙げられる。本サービスにおいては、送金者情報として仮名が使用され得るが、受金者情報として、銀行名、支店名、口座種別、口座番号、受金者名等の情報が求められる。
【００３０】
また、インターネット上で匿名のまま決済することができるサービスとして、ＰａｙＰａｌ（ペイパル。登録商標）が挙げられる。ＰａｙＰａｌは、取引を行いたい２者が、事前にクレジットカード情報等を登録しアカウントを作成しておくことで、互いの口座番号や名前等を公開することなく金銭を授受することができるサービスである。本サービスの利用者は、金銭を授受する相手に対しては匿名性を保つことができるが、取引を仲介する中央管理者としてのＰａｙＰａｌに対しては個人情報（クレジットカード番号や口座情報等）を提供することが求められる。したがって、ＰａｙＰａｌが、近年手口が多様化するサイバー攻撃等を行われることによって、利用者の個人情報が漏洩する可能性がある。
【００３１】
上記を解決する方法として、特許文献１には、ブロックチェーンを用いた電子暗号通貨の取引に利用される公開アドレスおよび、当該アドレスとペアとなる秘密鍵を用いて、所定の広告の閲覧促進を図る目的で当該広告を閲覧したユーザに特典として送金を行うために、当該秘密鍵が格納された二次元バーコードを当該広告に付する技術が記載されている。特許文献１に記載の技術は、ブロックチェーンを利用することで、中央管理者なしでも取引の正当性を保証することができるため、サービスの利用者は、取引を仲介する機関に個人情報を提供することを求められない。
【００３２】
しかしながら、特許文献１に記載の技術では、サービスの利用者は、取引を仲介する中央管理者に対しては個人情報を提供することを求められないが、電子暗号通貨と貨幣との両替取引においては個人情報（口座番号やクレジットカード番号等）を提供することを求められる。
【００３３】
本件の発明者は、上記事情に鑑み本発明に想到するに至った。本発明に係る送金システムを利用する送金者および受金者は、相互に個人情報を公開することなく、かつ、第三者機関に対しても個人情報を公開することなく現金の授受を行うことができる。
【００３４】
上記では、本発明の背景について説明した。以降では、「２．送金システムの概要」「３．各装置の機能構成」「４．各装置の動作」「５．各装置のハードウェア構成」について順次説明する。
【００３５】
＜２．送金システムの概要＞
まず、本発明に係る送金システムの概要について説明する。
【００３６】
本発明に係る送金システムでは、ピアツーピアネットワークに流通している分散型データベースが利用される。本書では、ピアツーピアネットワークの一例としてブロックチェーンネットワークが利用され、分散型データベースの一例としてブロックチェーンネットワークに流通しているブロックチェーンデータが利用される場合について説明する。なお、上記はあくまで一例であるため、利用されるピアツーピアネットワークおよび分散型データベースは適宜変更され得る。
【００３７】
（２−１．一般的なブロックチェーンデータの概要）
次に、一般的なブロックチェーンデータの概要について説明する。ブロックチェーンデータとは、複数のブロックがあたかも鎖のように連なっているデータである。それぞれのブロックには、１または２以上のトランザクション（取引）が格納される。
【００３８】
ブロックチェーンデータとしては、例えば、ビットコイン（Ｂｉｔｃｏｉｎ。登録商標）などの電子暗号通貨のデータのやり取りに用いられるブロックチェーンデータが挙げられる。当該ブロックチェーンデータにおける各ブロックには、例えば、「直前のブロックのハッシュ」が含まれる。
【００３９】
「直前のブロックのハッシュ」とは、過去のブロックに格納されているトランザクション（取引）の改竄の有無等を判定する処理に用いられる情報である。仮に、過去のブロックに格納されているトランザクション（取引）が改竄された場合、ブロックチェーンデータにおけるいずれかのブロックに含まれる「直前のブロックのハッシュ」に矛盾が生じるため、改竄された事実が明らかとなる。換言すると、「直前のブロックのハッシュ」がブロックチェーンデータにおける各ブロックに含まれることによって、第三者がブロックチェーンデータに含まれるトランザクション（取引）の改竄等を行うことが困難となる。
【００４０】
また、新たなトランザクション（取引）が発生した場合、ブロックチェーンネットワークに接続している装置（「ノード」とも呼称される）のうち、所定の処理に成功したノードがブロックチェーンデータへの新たなブロックの追加を行う。所定の処理とは、例えばビットコイン（登録商標）においては、「マイニング（または採掘）」と呼称される処理であり、トランザクション（取引）の検証および承認を行う処理である。所定の処理の内容は任意である。例えば、所定の処理とは、発生したトランザクションデータに何らかのデータを追加し、追加後のデータ全体のハッシュ値が所定の値よりも小さくなるまで、追加するデータを変更していく処理であってもよい。
【００４１】
そして、複数のノードのうち最も早くマイニングに成功したノードが、新たなトランザクションデータを含むブロックをブロックチェーンデータに追加し、追加後のブロックチェーンデータをブロックチェーンネットワークに送信することによって各ノードに追加後のブロックチェーンデータを共有する。複数のノードのうち最も早くマイニングに成功したノードによってブロックの追加が行われることによって（換言すると、ブロックの追加を行うノードが予め決定されていないことによって）、ブロックチェーンデータを利用するサービスは、特定のノードによる不正を防ぎ、サービスの公平性を担保することができる。
【００４２】
（２−２．本実施形態に係る送金システムの構成）
上記では、一般的なブロックチェーンの概要について説明した。続いて、図１を参照して、本実施形態に係る送金システムの構成について説明する。図１は、本実施形態に係る送金システムの構成を示す図である。
【００４３】
図１に示すように、本実施形態に係る送金システムは、送金元装置１００と、送金先装置２００と、を備え、送金元装置１００および送金先装置２００は、ブロックチェーンネットワーク３００に接続している。
【００４４】
送金元装置１００は、ブロックチェーンネットワーク３００を介して送金先装置２００に対して送金を行う装置である。より具体的に説明すると、送金を行うユーザ（以降、便宜的に「送金者」と呼称する）が所定の処理（送金元装置１００への現金の投入等）を行うことによって、送金元装置１００は、送金に用いられるトランザクションデータ（以降、便宜的に「入金トランザクションデータ」と呼称する）を生成し、当該入金トランザクションデータをブロックチェーンネットワーク３００に投入する。処理の詳細については後述する。本書では、送金元装置１００が、ＡＴＭのように、通貨に関する各種処理を行うことが可能な装置であることを想定して説明を行うが、これに限定されない。例えば、送金元装置１００は、現金を用いて送金することが可能な装置であれば任意の装置でよい。
【００４５】
送金先装置２００は、ブロックチェーンネットワーク３００を介して送金元装置１００からの送金を受ける装置である。より具体的に説明すると、送金されるユーザ（以降、便宜的に「受金者」と呼称する）が送金先装置２００に対して所定の入力を行うことで送金先装置２００は送金された額の現金を払い出すことができる。本書では、送金先装置２００が、ＡＴＭのように、通貨に関する各種処理を行うことが可能な装置であることを想定して説明を行うが、これに限定されない。例えば、送金先装置２００は、現金を払い出すことが可能な装置であれば任意の装置でよい。
【００４６】
ブロックチェーンネットワーク３００は、ブロックチェーンデータが流通しているＰ２Ｐネットワークである。図１には、ブロックチェーンネットワーク３００に接続する送金元装置１００および送金先装置２００が１台ずつしか記載されていないが、ブロックチェーンネットワーク３００に接続する送金元装置１００および送金先装置２００の台数は任意である。また、ブロックチェーンネットワーク３００への接続方法は任意である。例えば、送金元装置１００および送金先装置２００は、任意の方式の有線通信または任意の方式の無線通信によってブロックチェーンネットワーク３００に接続することができる。
【００４７】
＜３．各装置の機能構成＞
上記では、本実施形態に係る送金システムの構成について説明した。続いて、本実施形態に係る各装置の機能構成について説明する。
【００４８】
（３−１．送金元装置１００の機能構成）
まず、図２を参照して、本実施形態に係る送金元装置１００の機能構成について説明する。図２は、本実施形態に係る送金元装置１００の機能構成を示すブロック図である。
【００４９】
図２に示すように、本実施形態に係る送金元装置１００は、入力部１１０と、入金部１２０と、生成部１３０と、確認部１４０と、を備える。
【００５０】
（入力部１１０）
入力部１１０は、送金元装置１００から送金先装置２００への送金を仲介する仲介アドレスを取得する取得部（または第１の取得部）として機能する。本実施形態における仲介アドレスとは、ビットコイン（登録商標）に用いられるビットコインアドレスのように、アドレス毎の公開鍵から生成され公開鍵を特定可能な識別情報であり、例えば、公開鍵を入力として生成されたハッシュ値である（また、仲介アドレスの生成元となる公開鍵とペアとなる秘密鍵も存在する。詳細については後述する）。なお、仲介アドレスは、一回の送金にのみ用いられる情報であってもよい（すなわち、仲介アドレスは使い捨てられてもよい）し、受金者毎に生成された情報であり同一の受金者に対しては何度も用いられる情報であってもよい。
【００５１】
また、入力部１１０が仲介アドレスを取得する方法は任意である。例えば、入力部１１０は、所定のユーザインターフェースを備え、送金者による操作によって仲介アドレスを取得してもよい。より具体的には、入力部１１０は、キーボード、キーパッド、タッチパネルまたは操作ボタン等を備え、送金者がこれらのデバイスに対して仲介アドレスを入力する操作を行うことによって入力部１１０が仲介アドレスを取得してもよい。また、入力部１１０が、各種コードリーダー（二次元バーコードリーダー、バーコードリーダー）等を備え、送金者がこれらのデバイスに対して、仲介アドレスを表す各種コードを読み込ませる操作を行うことによって入力部１１０が仲介アドレスを取得してもよい。また、入力部１１０が近距離無線通信を行う通信機能を有しており、送金者が仲介アドレスを記憶している所定のデバイス（スマートフォン、ＩＣカード等）を入力部１１０にかざすことによって入力部１１０が近距離無線通信を行い、所定のデバイスから仲介アドレスを取得してもよい。
【００５２】
また、入力部１１０は、仲介アドレスを生成してもよい。入力部１１０による仲介アドレスの生成方法も任意である。例えば、入力部１１０は、上記のようなユーザインターフェースを介して入力された各種情報を所定のプログラムに入力することによって仲介アドレスを生成してもよい。入力部１１０が仲介アドレスを生成する場合には、入力部１１０は、仲介アドレスだけでなく、仲介アドレスの生成元となる公開鍵およびペアとなる秘密鍵を生成する必要がある。そして、入力部１１０は、生成した仲介アドレスの生成元となる公開鍵および秘密鍵を任意の方法で送金者に提示する第１の提示部として機能してもよい。例えば、入力部１１０は、上記のユーザインターフェースを介して仲介アドレスの生成元となる公開鍵および秘密鍵を送金者に通知してもよい。
【００５３】
（入金部１２０）
入金部１２０は、送金元装置１００に投入された現金を認識して入金額を計数する入金計数部として機能する。入金方法および計数方法は任意である。例えば、入金部１２０は、ＡＴＭにおいて紙幣投入口または硬貨投入口に投入された現金を認識して入金額を計数する構成と同様の構成であり得る。入金部１２０は、計数した入金額に関する情報を後述する生成部１３０に提供する。
【００５４】
（生成部１３０）
生成部１３０は、仲介アドレスへ入金を行うための入金データであるトランザクションデータ（以降、便宜的に「入金トランザクションデータ」と呼称する）を生成する入金データ生成部として機能する。より具体的に説明すると、生成部１３０は、入金部１２０から提供された入金額に関する情報および入力部１１０から提供された仲介アドレスに基づいて入金トランザクションデータを生成する。
【００５５】
ここで、図３および図４を参照して、入金トランザクションデータの一例について説明する。図３は、本実施形態に係る入金トランザクションデータの概要を示す図である。また、図４は、本実施形態に係る入金トランザクションデータのデータフォーマットの一例を示す図である。
【００５６】
図３に示すように、入金トランザクションデータには「入力（「インプット」とも呼称する）」「出力（「アウトプット」とも呼称する）」という概念が存在する。本実施形態に係る「入力」は、例えば、ビットコイン（登録商標）のトランザクションデータにおける「入力」に対応する概念であり、送金元装置１００に関する情報および入金額に関する情報を含む。例えば図３に示すように、「入力」は、「送金元装置（送金元装置１００に関する情報）に１万円（入金額に関する情報）入金あり」という情報を含む。
【００５７】
一方、本実施形態に係る「出力」は、例えば、ビットコイン（登録商標）のトランザクションデータにおける「出力」に対応する概念であり、仲介アドレスに関する情報および送金額に関する情報を含む。例えば図３に示すように、「出力」は、「仲介アドレス（仲介アドレスに関する情報）に１万円（送金額に関する情報）送金」という情報を含む。
【００５８】
また、生成部１３０は、公開鍵としての、送金元装置１００を識別する情報（以降、便宜的に「送金元装置１００の公開鍵」と呼称する）、および、当該送金元装置１００の公開鍵とペアとなる秘密鍵を管理している。そして、生成部１３０は、当該秘密鍵を用いて電子署名データを生成し、図３に示すように、当該電子署名データを入金トランザクションデータに含める。これによって、入金トランザクションデータの検証者（ノード）は、送金元装置１００の公開鍵を用いて電子署名データを検証することで、入金トランザクションデータに対する改竄の有無や、いわゆる「なりすまし」の有無を確認することができる。
【００５９】
また、図４に示すように、入金トランザクションデータは、「入力」フィールドおよび「出力」フィールドを含む。「入力」フィールドは、図３における「入力」に対応するデータ項目であり、図４に示すように、「入金部処理番号」と、「電子署名」と、「送金元装置の公開鍵」と、を含む。「出力」フィールドは、図３における「出力」に対応するデータ項目であり、図４に示すように、「出金額」と、「仲介アドレス」と、を含む。
【００６０】
「電子署名」とは、上記のとおり、送金元装置１００の公開鍵とペアとなる秘密鍵によって生成された電子署名データである。これによって、上記のとおり、入金トランザクションデータの検証者（ノード）は、入金トランザクションデータに含まれる「送金元装置の公開鍵」を用いて電子署名データを検証することで、入金トランザクションデータに対する改竄の有無や、いわゆる「なりすまし」の有無を確認することができる。
【００６１】
「入金部処理番号」とは、送金処理を識別することが可能な任意の情報である。例えば、入金部処理番号は、入金部１２０において送金処理が発生した際のタイムスタンプ、または、送金処理の度に所定の値だけ増加される通し番号（例えば、送金処理の度に１ずつ増加される通し番号）等であってもよい。入金トランザクションデータに入金部処理番号が含まれ、かつ、電子署名が付されることによって、入金トランザクションデータの検証者（ノード）は、二重送金を検知することができる。二重送金とは、例えば、送金者が、何らかの方法によって複数の送金処理を行うことで、送金元装置１００への入金額を超える金額を送金することを指す。
【００６２】
「出金額」は、入金部１２０によって計数された入金額に関する情報である。また、「仲介アドレス」は、後述する受金処理において、受金の元となる入金トランザクションデータが存在するか否か等の確認に用いられる情報である。詳細については後述する。
【００６３】
なお、上記では、入金トランザクションデータの「入力」および「出力」が、例えば、ビットコイン（登録商標）のトランザクションデータにおける「入力」および「出力」に対応する概念である旨を説明したが、これに限定されることはない。また、図３および図４を参照して説明した「入力」および「出力」の内容は適宜変更され得る。
【００６４】
生成部１３０は、図３および図４を参照して説明した入金トランザクションデータを生成した後、当該データを後述する確認部１４０に提供する。
【００６５】
（確認部１４０）
確認部１４０は、生成部１３０から提供された入金トランザクションデータをブロックチェーンネットワーク３００に投入する通信部として機能し、かつ、送金取引の成立を確認する。より具体的に説明すると、確認部１４０は、ブロックチェーンネットワーク３００に接続するインターフェースを備えており、当該インターフェースを介して入金トランザクションデータをブロックチェーンネットワーク３００に投入する。入金トランザクションデータの投入後、ブロックチェーンネットワーク３００に接続している複数の検証者（ノード）が入金トランザクションデータの検証および承認を行う。
【００６６】
ここで、入金トランザクションデータの検証および承認とは、例えば、上記で説明したビットコイン（登録商標）における「マイニング（または採掘）」に相当する処理であり得る。すなわち、複数のノードのうち最も早くマイニングに成功したノードが、新たな入金トランザクションデータを含むブロックをブロックチェーンデータに追加し、追加後のブロックチェーンデータをブロックチェーンネットワーク３００に送信することによって各ノードに追加後のブロックチェーンデータを共有する。これらの処理によって送金取引が成立する。
【００６７】
そして、確認部１４０は、入金トランザクションデータをブロックチェーンネットワーク３００に投入してから送金取引が成立するまでの進捗状況を確認する。ここで、確認部１４０による進捗状況の確認方法は任意である。例えば、確認部１４０は、ブロックチェーンネットワーク３００から入金トランザクションデータに対する検証処理または承認処理の進捗状況についての情報を含む取引履歴情報を取得し、当該情報に基づいて進捗状況を確認してもよい。また、外部装置（図示なし）がブロックチェーンネットワーク３００から取引履歴情報を取得し、当該情報に基づいて確認した進捗状況を所定の方法で確認部１４０に通知してもよい。
【００６８】
また、確認部１４０は、所定のユーザインターフェース（図示なし）を備えることで、当該ユーザインターフェースを介して送金取引の進捗状況等を送金者に提示する第２の提示部として機能してもよい。ここで、確認部１４０が送金者に通知する情報は任意である。例えば、確認部１４０は、送金取引の進捗状況だけでなく、送金取引が成立するまでの予定時間、送金取引の完了またはエラーの発生等を送金者に通知してもよい。
【００６９】
また、確認部１４０が備えるユーザインターフェースは任意である。例えば、確認部１４０は、ディスプレイを備え、当該ディスプレイに上記の各種情報を表示させることで送金者に各種情報を通知してもよい。また、確認部１４０は、印刷機能を備え、上記の各種情報を紙媒体等に印刷することで送金者に各種情報を通知してもよい。また、確認部１４０は、通信部（図示なし）を備え、所定のタイミング（例えば、送金取引が完了したタイミング、受金者による受金取引が完了したタイミングまたは所定の時間間隔等）に上記の各種情報を送金者の端末（図示なし）に送信することで送金者に各種情報を通知してもよい。なお、通信部を介して各種情報が送金者に通知される場合、送金者の端末情報（例えば、メールアドレス等）は入金トランザクションデータに対応付けられて管理されていることとする。
【００７０】
（３−２．送金先装置２００の機能構成）
上記では、本実施形態に係る送金元装置１００の機能構成について説明した。続いて、図５を参照して、本実施形態に係る送金先装置２００の機能構成について説明する。図５は、本実施形態に係る送金先装置２００の機能構成を示すブロック図である。
【００７１】
図５に示すように、本実施形態に係る送金先装置２００は、入力部２１０と、生成部２２０と、確認部２３０と、出金部２４０と、を備える。
【００７２】
（入力部２１０）
入力部２１０は、仲介アドレスの生成元となる公開鍵および、当該仲介アドレスから出金するために用いられるパスワードを取得する取得部（または第２の取得部）として機能する。ここで、仲介アドレスとは、上記で説明した公開鍵から生成されるアドレス情報であり、パスワードとは、仲介アドレスの生成元となる公開鍵とペアの秘密鍵（または秘密鍵に対応する情報）である。受金者は、送金先装置２００に対して受金のための各種操作を行うにあたり、予め、送金者から仲介アドレスの生成元となる公開鍵およびパスワードに関する情報を取得していることとする。当該情報の形式は任意である。例えば、仲介アドレスの生成元となる公開鍵およびパスワードは二次元バーコードに変換されていてもよい。受金者がこれらの情報を送金者から取得する方法も任意である。例えば、受金者は、メール等の手段を用いてこれらの情報を送金者から取得してもよい。
【００７３】
また、入力部２１０がこれらの情報を取得する方法も任意である。例えば、入力部２１０は、所定のユーザインターフェースを備え、受金者の操作によって仲介アドレスの生成元となる公開鍵およびパスワードを取得してもよい。より具体的には、入力部２１０は、キーボード、キーパッド、タッチパネルまたは操作ボタン等を備え、受金者がこれらのデバイスに対して仲介アドレスの生成元となる公開鍵およびパスワードを入力する操作を行うことによって入力部２１０がこれらの情報を取得してもよい。また、入力部２１０が、各種コードリーダー（二次元バーコードリーダー、バーコードリーダー）等を備え、受金者がこれらのデバイスに対して、仲介アドレスの生成元となる公開鍵およびパスワードを表す各種コードを読み込ませる操作を行うことによって入力部２１０がこれらの情報を取得してもよい。また、入力部２１０が近距離無線通信を行う通信機能を有しており、受金者が仲介アドレスの生成元となる公開鍵およびパスワードを記憶している所定のデバイス（スマートフォン、ＩＣカード等）を入力部２１０にかざすことによって入力部２１０が近距離無線通信を行い、所定のデバイスからこれらの情報を取得してもよい。
【００７４】
また、入力部２１０は、秘密鍵としてのパスワードのみを上記の方法で取得し、当該パスワードとシステム既定のパラメータを用いて仲介アドレスの生成元となる公開鍵を算出することで当該公開鍵を取得してもよい。入力部２１０は、取得した仲介アドレスの生成元となる公開鍵およびパスワードを後述する生成部２２０に提供する。
【００７５】
（生成部２２０）
生成部２２０は、仲介アドレスから出金を行うための出金データであるトランザクションデータ（以降、便宜的に「出金トランザクションデータ」と呼称する）を生成する出金データ生成部として機能する。より具体的に説明すると、生成部２２０は、入力部２１０から提供された仲介アドレスの生成元となる公開鍵およびパスワードに基づいて出金トランザクションデータを生成する。
【００７６】
ここで、図６および図７を参照して、出金トランザクションデータの一例について説明する。図６は、本実施形態に係る出金トランザクションデータの概要を示す図である。また、図７は、本実施形態に係る出金トランザクションデータのデータフォーマットの一例を示す図である。
【００７７】
図６に示すように、入金トランザクションデータと同様に、出金トランザクションデータには「入力（「インプット」とも呼称する）」「出力（「アウトプット」とも呼称する）」という概念が存在する。本実施形態に係る「入力」は、例えば、ビットコイン（登録商標）のトランザクションデータにおける「入力」に対応する概念であり、仲介アドレスに関する情報および入金額に関する情報を含む。例えば図６に示すように、「入力」は、「仲介アドレス（仲介アドレスに関する情報）に１万円（入金額に関する情報）入金あり」という情報を含む。
【００７８】
一方、本実施形態に係る「出力」は、例えば、ビットコイン（登録商標）のトランザクションデータにおける「出力」に対応する概念であり、送金先装置２００に関する情報および送金額に関する情報を含む。例えば図６に示すように、「出力」は、「送金先装置（送金先装置２００に関する情報）に１万円（送金額に関する情報）送金」という情報を含む。
【００７９】
また、生成部２２０は、入力部２１０から提供された秘密鍵としてのパスワードを用いて電子署名データを生成し、図６に示すように、当該電子署名データを出金トランザクションデータに含める。これによって、出金トランザクションデータの検証者（ノード）は、仲介アドレスの生成元となる公開鍵を用いて電子署名データを検証することで、出金トランザクションデータに対する改竄の有無や、いわゆる「なりすまし」の有無を確認することができる。
【００８０】
また、図７に示すように、入金トランザクションデータと同様に、出金トランザクションデータは、「入力」フィールドおよび「出力」フィールドを含む。「入力」フィールドは、図６における「入力」に対応するデータ項目であり、図７に示すように、「参照元のトランザクション識別情報」と、「電子署名」と、「仲介アドレスの生成元となる公開鍵」と、を含む。「出力」フィールドは、図６における「出力」に対応するデータ項目であり、図７に示すように、「出金額」と、「送金先装置のアドレス」と、を含む。
【００８１】
「電子署名」とは、上記のとおり、秘密鍵としてのパスワードによって生成された電子署名データである。これによって、上記のとおり、出金トランザクションデータの検証者（ノード）は、出金トランザクションデータに含まれる「仲介アドレスの生成元となる公開鍵」を用いて電子署名データを検証することで、出金トランザクションデータに対する改竄の有無や、いわゆる「なりすまし」の有無を確認することができる。
【００８２】
「参照元のトランザクション識別情報」とは、当該受金処理の元となる入金トランザクションデータ（以降、便宜的に「参照元の入金トランザクションデータ」と呼称する）を識別する情報である。換言すると、「参照元のトランザクション識別情報」は、受金者がいずれの入金トランザクションデータに基づいて受金を行おうとしているかを示す情報である。仮に、参照元の入金トランザクションデータがブロックチェーンデータ中に存在しない場合には、出金トランザクションデータは承認されない。
【００８３】
「参照元のトランザクション識別情報」は、受金処理の元となる入金トランザクションデータを識別することができれば任意の情報であってよい。例えば、「参照元のトランザクション識別情報」は、参照元の入金トランザクションデータ全体のハッシュ値であってもよい。より具体的には、生成部２２０は、入力部２１０から提供された仲介アドレスの生成元となる公開鍵を用いて、仲介アドレス（当該公開鍵のハッシュ値）を算出し、当該ハッシュ値と同一の値が「出力」フィールドに含まれる入金トランザクションデータをブロックチェーンデータ中で探索する。
【００８４】
仲介アドレスと同一の値が「出力」フィールドに含まれる入金トランザクションデータがブロックチェーンデータにおいて発見されることに基づいて、送金先装置２００は、受金処理の元となる入金トランザクションデータが正しく存在することを確認することができる。そして、生成部２２０は、ブロックチェーンデータにおいて見つけられた参照元の入金トランザクションデータ全体のハッシュ値を算出し、当該ハッシュ値を「参照元のトランザクション識別情報」に用いる。なお、上記はあくまで一例であるため、「参照元のトランザクション識別情報」に設定される情報は適宜変更され得る。
【００８５】
「出金額」は、受金者が受取ろうとする金額に関する情報である。「出金額」には、参照元の入金トランザクションデータに含まれる「出金額」以下の金額が指定される。例えば、出金トランザクションデータの「出金額」には、参照元の入金トランザクションデータに含まれる「出金額」と同一の金額が指定されてもよいし、参照元の入金トランザクションデータに含まれる「出金額」から送金手数料が差し引かれた後の金額が指定されてもよい。ここで、送金手数料は、例えば、各トランザクションに対する検証処理または承認処理を行った検証者（ノード）へ報酬として支払われる手数料を想定するがこれに限定されない。
【００８６】
「送金先装置のアドレス」は、受金処理が行われる送金先装置２００を識別する情報（以降、便宜的に「送金先装置２００のアドレス」と呼称する）である。当該情報は、送金先装置のアドレス毎の公開鍵から生成され公開鍵を特定可能な識別情報であり、例えば、公開鍵を入力として生成されたハッシュ値である。また当該情報は、送金先装置の公開鍵から生成される情報であるため、「送金先装置のアドレス」に設定されている情報に基づいて、特定の送金先装置への受金処理であることが識別され得る。
【００８７】
生成部２２０は、図６および図７を参照して説明したような出金トランザクションデータを生成した後、当該データを後述する確認部２３０に提供する。
【００８８】
（確認部２３０）
確認部２３０は、生成部２２０から提供された出金トランザクションデータをブロックチェーンネットワーク３００に投入する通信部として機能し、かつ、受金取引の成立を確認する。より具体的に説明すると、確認部２３０は、ブロックチェーンネットワーク３００に接続するインターフェースを備えており、当該インターフェースを介して出金トランザクションデータをブロックチェーンネットワーク３００に投入する。出金トランザクションデータの投入後、ブロックチェーンネットワーク３００に接続している複数の検証者（ノード）が出金トランザクションデータの検証および承認を行う。
【００８９】
ここで、出金トランザクションデータの検証および承認とは、上記で説明した入金トランザクションデータの検証および承認と同様であり得るため、説明を省略する。なお、これはあくまで一例であるため、出金トランザクションデータの検証および承認は、入金トランザクションデータの検証および承認と同様でなくてもよく、適宜変更され得る。
【００９０】
そして、確認部２３０は、出金トランザクションデータをブロックチェーンネットワーク３００に投入してから受金取引が成立するまでの進捗状況を確認する。また、確認部２３０は、当該進捗状況を受金者に提示する提示部として機能してもよい。受金取引が成立するまでの進捗状況の確認方法および受金者への提示方法は、上記で説明した送金元装置１００の確認部１４０による確認方法および送金者への提示方法と同様であり得るため、説明を省略する。
【００９１】
受金取引が成立した場合、確認部２３０は、出金トランザクションデータに含まれる出金額に関する情報を後述する出金部２４０に提供する。
【００９２】
（出金部２４０）
出金部２４０は出金処理を行う。より具体的に説明すると、出金部２４０は、受金取引が成立した場合に確認部２３０から提供される出金額に関する情報に基づいて、当該出金額と同一額の現金を払い出す。これによって、受金者は送金者からの送金を現金で受け取ることができる。出金部２４０は、例えば、ＡＴＭの紙幣取り出し口または硬貨取り出し口から現金を払い出す構成と同様であり得るが、これに限定されない。
【００９３】
＜４．各装置の動作＞
上記では、本実施形態に係る各装置の機能構成について説明した。続いて、本実施形態に係る各装置の動作について説明する。
【００９４】
（４−１．送金元装置１００による動作）
まず、図８を参照して、本実施形態に係る送金元装置１００による動作について説明する。図８は、本実施形態に係る送金元装置１００による動作を示すフローチャートである。
【００９５】
図８を参照して説明を行う前提として、送金者は、送金に利用する仲介アドレスと、当該仲介アドレスの生成元となる公開鍵とペアとなる秘密鍵を事前に作成し、例えば、二次元バーコードに変換して保持しているとする。なお、当該前提条件はあくまで一例であり、適宜変更され得る。
【００９６】
まず、図８のステップＳ１０００では、送金元装置１００の入力部１１０が仲介アドレスを取得する。より具体的には、送金者が二次元バーコードを入力部１１０に備えられた二次元バーコードリーダーにかざすことによって、入力部１１０が仲介アドレスを取得する。ステップＳ１００４では、入金部１２０が入金額の計数を行う。より具体的には、送金者が入金部１２０に対して紙幣または硬貨を投入し、入金部１２０は当該紙幣または硬貨の合計金額を計数する。
【００９７】
ステップＳ１００８では、生成部１３０が入金トランザクションデータを生成する。より具体的には、生成部１３０が、入金部１２０から提供された入金額に関する情報および入力部１１０から提供された仲介アドレスに基づいて入金トランザクションデータを生成する。ステップＳ１０１２では、確認部１４０が、入金トランザクションデータをブロックチェーンネットワーク３００に投入する。
【００９８】
ステップＳ１０１６では、確認部１４０が送金取引の成立を確認する。送金取引が成立した場合には（ステップＳ１０２０／Ｙｅｓ）、処理が終了し（送信取引が成立した旨が送金者に通知されてもよい）、送金取引が成立しなかった場合には（ステップＳ１０２０／Ｎｏ）、ステップＳ１０２４にて、確認部１４０が、エラーが発生した旨を送金者に通知して処理が終了する。以上が送金元装置１００による動作の一例である。
【００９９】
（４−２．送金先装置２００による動作）
続いて、図９を参照して、本実施形態に係る送金先装置２００による動作について説明する。図９は、本実施形態に係る送金先装置２００による動作を示すフローチャートである。
【０１００】
図９を参照して説明を行う前提として、受金者は、受金に利用する仲介アドレスの生成元となる公開鍵と、当該公開鍵とペアとなる秘密鍵としてのパスワードを、事前に取得する。受金者がこれらの情報を取得する方法は任意である。例えば、受金者は、送金者からこれらの情報が変換された二次元バーコード等をメール等の手段を用いて取得してもよい。
【０１０１】
まず、図９のステップＳ１１００では、送金先装置２００の入力部２１０が仲介アドレスの生成元となる公開鍵およびパスワードを取得する。より具体的には、受金者が二次元バーコードを入力部２１０に備えられた二次元バーコードリーダーにかざすことによって、入力部２１０が仲介アドレスの生成元となる公開鍵およびパスワードを取得する。ステップＳ１１０４では、生成部２２０が、入力部２１０から提供された仲介アドレスの生成元となる公開鍵およびパスワードに基づいて出金トランザクションデータを生成する。
【０１０２】
ステップＳ１１０８では、確認部２３０が、出金トランザクションデータをブロックチェーンネットワーク３００に投入する。ステップＳ１１１２では、確認部２３０が受金取引の成立を確認する。受金取引が成立した場合には（ステップＳ１１１６／Ｙｅｓ）、ステップＳ１１２０にて、出金部２４０が、出金トランザクションデータに含まれる出金額と同一額の現金を払い出して、処理が終了する。受金取引が成立しない場合には（ステップＳ１１１６／Ｎｏ）、ステップＳ１１２４にて、確認部２３０が、エラーが発生した旨を受金者に通知して処理が終了する。以上が送金先装置２００による動作の一例である。
【０１０３】
図８および図９を参照して説明した動作によって、送金者および受金者が相互に個人情報を公開することなく、かつ、第三者機関に対しても個人情報を公開することなく送金および受金を行うことができる。
【０１０４】
＜５．各装置のハードウェア構成＞
図１０は、本実施形態に係る送金元装置１００および送金先装置２００のハードウェア構成を示すブロック図である。本実施形態に係る送金元装置１００および送金先装置２００は、例えば、図１０に示す現金自動預け払い機９００によって具現される。
【０１０５】
図１０に示すように、現金自動預け払い機９００は、操作表示部９０１と、カード読取部９０２と、紙幣入出金部９０３と、硬貨入出金部９０４と、通帳記帳部９０５と、レシート印字部９０６と、制御部９０７と、インターフェース部９０８と、スピーカ９０９と、記憶部９１０と、を備える。
【０１０６】
操作表示部９０１は、利用者による操作の誘導画面を表示する表示機能および利用者による操作を検出する操作検出機能を兼ね備える。なお、操作検出機能を実現する方式は、抵抗膜方式または赤外線方式であってもよい。操作表示部９０１は、例えば、送金元装置１００の入力部１１０もしくは確認部１４０、または送金先装置２００の入力部２１０もしくは確認部２３０の一部を具現し得る。
【０１０７】
スピーカ９０９は、利用者に操作を案内する音声、およびビープ音などを出力する。例えば、スピーカ９０９は、磁気カードの挿入を案内する音声、出金された紙幣、排出された磁気カードおよびレシートなどの取り忘れを防ぐためのビープ音などを出力する。スピーカ９０９は、例えば、送金元装置１００の確認部１４０、または送金先装置２００の確認部２３０の一部を具現し得る。
【０１０８】
インターフェース部９０８は、ブロックチェーンネットワーク３００と接続され、ブロックチェーンネットワーク３００に対して各種情報を通信する。例えば、インターフェース部９０８は、入金トランザクションデータまたは出金トランザクションデータをブロックチェーンネットワーク３００に対して送信する。インターフェース部９０８は、例えば、送金元装置１００の確認部１４０、または送金先装置２００の確認部２３０の一部を具現し得る。
【０１０９】
カード読取部９０２は、カード挿入排出口から挿入された利用者の磁気カードに記録された磁気情報を読み取る。磁気情報は、例えば、口座番号および口座種別などを示す情報を含んでもよい。なお、カード挿入排出口およびカード読取部９０２は適宜省略され得る。
【０１１０】
紙幣入出金部９０３は、紙幣の搬送路、紙幣カセットおよび紙幣の正当性を認識する構成などを有する。入金時に紙幣口に投入された紙幣は、正当性が認識された場合、金種に応じた紙幣カセットに搬送される。また、出金時には、紙幣カセットから紙幣が分離され、分離された紙幣の正当性が認識された場合に紙幣が搬送される。紙幣入出金部９０３は、例えば、送金元装置１００の入金部１２０、または送金先装置２００の出金部２４０の一部を具現し得る。
【０１１１】
硬貨入出金部９０４は、硬貨の搬送路、硬貨カセットおよび硬貨の正当性を認識する構成などを有する。入金時に硬貨口に投入された硬貨は、正当性が認識された場合、金種に応じた硬貨カセットに搬送される。また、出金時には、硬貨カセットから硬貨が繰り出され、繰り出された硬貨の正当性が認識された場合に硬貨口に硬貨が搬送される。硬貨入出金部９０４は、例えば、送金元装置１００の入金部１２０、または送金先装置２００の出金部２４０の一部を具現し得る。
【０１１２】
通帳記帳部９０５は、磁気ヘッド、ページ送り部および印字部などを含み、通帳挿入口から挿入された通帳に記帳を行う。例えば、通帳挿入口から通帳が挿入されると、通帳のカバー紙に形成された磁気ストライプから磁気ヘッドが磁気情報を読み出す。また、ページ送り部が通帳の記入ページを開き、印字部が通帳の記入ページに取引情報を印字する。なお、通帳挿入口および通帳記帳部９０５は適宜省略され得る。
【０１１３】
レシート印字部９０６は、レシートロール、サーマルヘッドおよびカッタなどを含み、取引の明細情報が印字されたレシートを作成する。例えば、利用者の指定した取引が実行されると、レシートロールから分離された連続紙にサーマルヘッドが取引の明細情報を印字し、明細情報が印字された領域をカッタが連続紙から切り離すことにより、レシートが作成される。レシート印字部９０６は、例えば、送金元装置１００の確認部１４０、または送金先装置２００の確認部２３０の一部を具現し得る。
【０１１４】
記憶部９１０は、現金自動預け払い機９００の動作のために用いられる各種情報を記憶する記憶媒体であり、ハードディスクまたはメモリにより構成される。例えば、記憶部９１０は、制御部９０７が操作表示部９０１、カード読取部９０２、紙幣入出金部９０３、硬貨入出金部９０４、通帳記帳部９０５、レシート印字部９０６、およびインターフェース部９０８などを制御するためのプログラムを記憶する。
【０１１５】
制御部９０７は、現金自動預け払い機９００の動作全般を制御する。例えば、制御部９０７は、操作表示部９０１、カード読取部９０２、紙幣入出金部９０３、硬貨入出金部９０４、通帳記帳部９０５、レシート印字部９０６、スピーカ９０９、およびインターフェース部９０８の各々の動作を制御する。制御部９０７は、例えば、送金元装置１００の入力部１１０、入金部１２０、生成部１３０もしくは確認部１４０、または送金先装置２００の入力部２１０、生成部２２０、確認部２３０もしくは出金部２４０の一部を具現し得る。
【０１１６】
＜６．むすび＞
以上で説明してきたように、本実施形態に係る送金元装置１００および送金先装置２００は共にブロックチェーンネットワーク３００に接続する。そして、送金者は、現金を送金元装置１００に投入し、送金元装置１００は、送金を仲介する仲介アドレスを用いて入金トランザクションデータを生成し、当該データをブロックチェーンネットワーク３００に投入することで送金取引を成立させる。一方、送金先装置２００は、仲介アドレスの生成元となる公開鍵およびパスワードを用いて出金トランザクションデータを生成し、当該データをブロックチェーンネットワーク３００に投入し受金取引を成立させることで、受金者が現金を受け取る。
【０１１７】
これによって、送金者および受金者が相互に個人情報を公開することなく、かつ、第三者機関に対しても個人情報を公開することなく現金の授受を行うことができる。また、受金者は、送金取引が成立した後であれば、任意のタイミングで受金処理を行うことができる。また、送金処理および受金処理には任意の送金元装置１００および任意の送金先装置２００が利用され得るため、送金者および受金者は、地理的に離れた場所にいても送金および受金を行うことができる。また、ブロックチェーンネットワーク３００が利用されることによって、中央管理者なしでも二重送金等の不正が効果的に防止され得る。
【０１１８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１１９】
例えば、上記の実施形態では、送金システムが送金元装置１００および送金先装置２００によって構成されていたが、これに限定されない。より具体的には、上記のような送金処理および受金処理が可能な装置であれば、当該装置が単独で送金システムを構成してもよい。
【０１２０】
また、上記では、仲介アドレス、仲介アドレスの生成元となる公開鍵、および、ペアとなる秘密鍵としてのパスワードは、送金者（または送金元装置１００）によって生成される旨について説明したが、これに限定されない。例えば、仲介アドレス、仲介アドレスの生成元となる公開鍵、および、ペアとなる秘密鍵は、受金者（または送金先装置２００）によって生成された後に、送金者に通知されてもよい。
【０１２１】
また、上記では、入金トランザクションデータおよび出金トランザクションデータにおける「入力」フィールドおよび「出力」フィールドには、それぞれ一つの仲介アドレスまたは一つの装置のアドレス等が含まれていたが、これに限定されない。例えば、入金トランザクションデータの「出力」フィールドに複数の仲介アドレスとそれぞれの仲介アドレスに対する出金額が設定されてもよいし、出金トランザクションデータの「入力」フィールドに参照元である入金トランザクションデータが複数個設定されてもよい。また、各トランザクションの「出力」フィールドに、既定のアドレスが設定されることによって当該既定のアドレスを介して送金手数料が徴収されてもよい。
【０１２２】
また、本実施形態に係る各装置の動作における各ステップは、必ずしもフローチャートとして記載された順序に沿って時系列に処理する必要はない。すなわち、送金元装置１００または送金先装置２００の動作における各ステップは、フローチャートとして記載した順序と異なる順序で処理されても、並列的に処理されてもよい。
【０１２３】
また、送金元装置１００の構成の一部は、適宜送金元装置１００外に設けられ得る。同様に、送金先装置２００の構成の一部は、適宜送金先装置２００外に設けられ得る。
【０１２４】
また、送金元装置１００の機能の一部が、送金元装置１００に備えられた制御部（図示なし）によって具現されてもよい。例えば、送金元装置１００に備えられた制御部が入力部１１０、入金部１２０、生成部１３０または確認部１４０の機能の一部を具現してもよい。同様に、送金先装置２００の機能の一部が、送金先装置２００に備えられた制御部（図示なし）によって具現されてもよい。例えば、送金先装置２００に備えられた制御部が入力部２１０、生成部２２０、確認部２３０または出金部２４０の機能の一部を具現してもよい。
【符号の説明】
【０１２５】
１００    送金元装置
１１０    入力部
１２０    入金部
１３０    生成部
１４０    確認部
２００    送金先装置
２１０    入力部
２２０    生成部
２３０    確認部
２４０    出金部
【図１】
2018160828.tif 000003
【図２】
2018160828.tif 000004
【図３】
2018160828.tif 000005
【図４】
2018160828.tif 000006
【図５】
2018160828.tif 000007
【図６】
2018160828.tif 000008
【図７】
2018160828.tif 000009
【図８】
2018160828.tif 000010
【図９】
2018160828.tif 000011
【図１０】
2018160828.tif 000012